Podtech/llm-jp-corpus-v4-ja_patent huggingface dataset:
【誤訳訂正書】
【提出日】平成23年6月9日(2011.6.9)
【誤訳訂正１】
【訂正対象書類名】明細書
【訂正対象項目名】特許請求の範囲
【訂正方法】変更
【訂正の内容】
【特許請求の範囲】
【請求項１】  パラジウム又はその合金の電気化学的に析出させるための酸性ｐＨの水性電解浴であって、
前記浴が、パラジウム化合物、及び、必要であればパラジウムとの合金の形態で共析出する少なくとも１つの第二金属の化合物を含み、パラジウム錯化剤としてのエチレンジアミン、及び、有機光沢剤もさらに含み、
前記光沢剤が３−（３−ピリジル）アクリル酸、３−（３−キノリル）アクリル酸又はそれらの塩の１つであることを特徴とする電解浴。
【請求項２】  ｐＨが３〜５であることを特徴とする請求項１に記載の電解浴。
【請求項３】  無機光沢剤として作用する少なくとも１つの金属を含有することを特徴とする請求項１又は２に記載の電解浴。
【請求項４】  １〜１００ｇ／ｌのパラジウムを含有することを特徴とする請求項１、２、又は、３に記載の電解浴。
【請求項５】  ニッケル、コバルト、鉄、インジウム、金、銀及びスズから成る群から選択される少なくとも１つの第二金属を、０．１〜６０ｇ／ｌの濃度で含有することを特徴とする請求項１、２、３、又は、４に記載の電解浴。
【請求項６】  ２〜２００ｍｌ／ｌのエチレンジアミンを含有することを特徴とする請求項１、２、３、４、又は、５に記載の電解浴。
【請求項７】  ０．０１〜３ｇ／ｌの３−（３−ピリジル）アクリル酸、３−（３−キノリル）アクリル酸又はそれらの塩の１つを含有することを特徴とする請求項１、２、３、４、５、又は、６に記載の電解浴。
【請求項８】  少なくとも１つの導電性の塩を２０ｇ／ｌ以上含有することを特徴とする請求項１、２、３、４、５、６、又は、７に記載の電解浴。
【請求項９】  前記導電性の塩が、硫酸ナトリウム、硫酸カリウム及びそれらの混合物から成る群から選択されることを特徴とする請求項８に記載の電解浴。
【請求項１０】  ｐＨを安定化する緩衝剤を含有することを特徴とする請求項１、２、３、４、５、６、７、８、又は、９に記載の電解浴。
【請求項１１】  少なくとも１つの湿潤剤を含有することを特徴とする請求項１、２、３、４、５、６、７、８、９、又は、１０に記載の電解浴。
【請求項１２】  析出層の内部応力を減少させる添加剤を含有することを特徴とする請求項１、２、３、４、５、６、７、８、９、１０、又は、１１に記載の電解浴。
【請求項１３】  パラジウムを硫酸塩の形で投入することを特徴とする請求項１、２、３、４、５、６、７、８、９、１０、１１、又は、１２に記載の電解浴。
【請求項１４】  パラジウムを、硫酸パラジウムとエチレンジアミンの固体塩の形で投入し、前記固体塩が３１〜４１％のパラジウムを含み、前記固体塩において、［ＳＯ４］：［Ｐｄ］のモル比が０．９〜１．１５であり、［エチレンジアミン］：［Ｐｄ］のモル比が０．８〜１．２であることを特徴とする請求項１、２、３、４、５、６、７、８、９、１０、１１、１２、又は、１３に記載の電解浴。
【請求項１５】  硫酸塩、炭酸塩又は水酸化物又はこれらの化合物の混合物の形で上記電解浴に投入される少なくとも１つの第二金属を含有することを特徴とする請求項１、２、３、４、５、６、７、８、９、１０、１１、１２、１３、又は、１４に記載の電解浴。
【請求項１６】  パラジウム又はパラジウム合金を電気めっきする方法であって、０．５〜１５０Ａ／ｄｍ２の電流密度を使用して、請求項１、２、３、４、５、６、７、８、９、１０、１１、１２、１３、１４、又は、１５に記載の電解浴を稼働させることを特徴とする方法。
【請求項１７】  不溶性陽極、及び、陰極としての金属被覆基材を使用して、電解を行うことを特徴とする請求項１６に記載の方法。
【誤訳訂正２】
【訂正対象書類名】明細書
【訂正対象項目名】００４１
【訂正方法】変更
【訂正の内容】
【００４１】
さらに、本発明の電解浴は、電気めっき浴に一般に使用される種々の添加剤、例えば、導電性塩、ｐＨを安定化する緩衝剤、湿潤剤、電解析出層の内部応力を減少させる添加剤を含んでも良い。
【誤訳訂正３】
【訂正対象書類名】明細書
【訂正対象項目名】００４６
【訂正方法】変更
【訂正の内容】
【００４６】
内部応力が発生するのを防止するために、サッカリン酸ナトリウムを電解浴に組み込むのが好ましいであろう。
【誤訳訂正４】
【訂正対象書類名】明細書
【訂正対象項目名】００７２
【訂正方法】変更
【訂正の内容】
【００７２】
所望により一定の添加剤を投入してもよい。例えば、
−導電性塩としては硫酸ナトリウムを使用することができるが、硫酸カリウム又は両塩の混合物を使用することもできる。
−浴のｐＨを安定させるために、酢酸、クエン酸若しくはホウ酸緩衝系又は当該ｐＨ範囲で有効な他の任意の緩衝系を使用することができる。
−処理片上での水素の放出によって起こる点食を避けるために、湿潤剤を添加することができる。カチオン性又は非イオン性湿潤剤が好適であり、例えばごく少量のヨウ化又は臭化セチルトリメチルアンモニウムを使用することができる。
−装飾用途には内部応力減少剤を加えてもよく、ある場合には、ごく少量のサッカリン酸ナトリウムを加えることができる。
【誤訳訂正書】
【提出日】平成23年9月7日(2011.9.7)
【誤訳訂正１】
【訂正対象書類名】明細書
【訂正対象項目名】０００８
【訂正方法】変更
【訂正の内容】
【０００８】
（発明の詳細な説明）
本発明の接着−剥離組成物は水溶性ポリマーまたは多糖接着剤と剥離剤としての金属活性化置換無水ジカルボン酸デンプン誘導体との組み合わせを含む。
【誤訳訂正２】
【訂正対象書類名】明細書
【訂正対象項目名】０００９
【訂正方法】変更
【訂正の内容】
【０００９】
接着剤成分として有用な水溶性ポリマー材料は、デンプン、デキストリン、セルロース及びガムを包含する任意の多糖並びにポリビニルアルコール及び樹脂であってよい。特に有用なものは、天然、転化または誘導体化したいくつかのデンプンの任意のものを包含するデンプン及びデキストリンである。上記デンプンは、コーン、ジャガイモ、小麦、米、サゴ、タピオカ、ワキシートウモロコシ、モロコシ及び高アミロースデンプン、例えば、高アミロースコーン、すなわち、少なくとも４５質量％のアミロース含量を有するデンプンを包含するあらゆる植物源から由来のものを包含する。デンプン粉も用い得る。前記ベースの任意のものに由来する転化生成物、例えば、酸及び／または熱の加水分解作用により製造されたデキストリン、酵素転化または穏和な酸加水分解により製造された流動性または低粘性変性デンプン、酸化剤、例えば、次亜塩素酸ナトリウムによる処理により製造された酸化デンプン及び、誘導体化または化工デンプン、例えば、カチオン、アニオン、両性、非イオン、架橋及びヒドロキシプロピルデンプンを包含する。
【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
半導体デバイスを形成する方法において、
半導体層の上方に第１のゲート誘電体層を形成する工程と、
第１のゲート誘電体層の上方に第１の導体層を形成する工程と、
第１の導体層の上方に第１の分離層を形成する工程と、
第１の分離層を形成する工程の後に、半導体層に第１のメサと第２のメサとを分離するトレンチを形成する工程であって、第１のメサおよび第２のメサは各々、第１のゲート誘電体層の一部、第１の導体層の一部、第１の分離層の一部、および半導体層の一部を含む工程と、
第１の導体層の上面を越える高さまでトレンチに絶縁材料を充填する工程と、
第２のメサに含まれる第１の導体層の前記一部を第２のメサから除去する工程と、
第２のメサに含まれる第１の導体層の前記一部を第２のメサから除去する工程の後に、第１のメサに含まれる第１の分離層の前記一部の上方および第２のメサの上方に第２の導体層を形成する工程と、
平坦化を行って、第１のメサの上方から第２の導体層を除去する工程と、
第１のメサに第１の種類の第１のトランジスタを形成し、第２のメサに第２の種類の第２のトランジスタを形成する工程と、からなる方法。
【請求項２】
第２の導体層を形成する工程において、第２の導体層は金属を含む請求項１に記載の方法。
【請求項３】
第１の導体層を形成する工程において、第１の導体層は第２の導体層の金属とは異なる種類の金属を含む請求項２に記載の方法。
【請求項４】
第２の導体層を形成する工程より前に、第２のメサに含まれるゲート誘電体層の前記一部を第２のメサから除去する工程と、
第２のメサに含まれるゲート誘電体層の前記一部を第２のメサから除去する工程の後、かつ、第２の導体層を形成する工程より前に、第２のメサの上に第２の半導体層をエピタキシャル成長によって成長させる工程と、を含む請求項１に記載の方法。
【請求項５】
第１のメサに含まれる半導体層の前記一部が第２のメサに含まれる半導体層の前記一部とは異なる導電型を有するように、選択的に半導体層のドーピングを行う工程を含む請求項１に記載の方法。
【手続補正書】
【提出日】平成23年1月28日(2011.1.28)
【手続補正１】
【補正対象書類名】特許請求の範囲
【補正対象項目名】請求項１
【補正方法】変更
【補正の内容】
【請求項１】
共通の伝送チャネルに接続している、マスタとして機能している少なくとも１つのユーザと、スレーブとして機能している少なくとも１つのユーザと間の前記伝送チャネルを介して、プロトコル特有の形で実行されるべき巡回データ伝送において、巡回伝送すべき処理データの安全な伝送のための方法およびシステムであって、
伝送プロトコル・フレーム内で、伝送されるべき前記データとは独立に同数のビットを常に収容することができるタイム・スロットが、データ伝送サイクルの間それぞれのスレーブに割り当てられ、
データ伝送サイクルの間、スレーブから少なくとも１つの追加ユーザに安全に伝送されるべき、または、データ伝送サイクルの間、ユーザから少なくとも１つのスレーブに、安全に伝送されるべき安全関連データのために、前記安全関連データのエラーのない伝送を認識するための追加第１保護データがその都度生成および伝送され、安全に伝送されるべき前記処理データが前記それぞれの第１保護データとともに、前記それぞれのスレーブに割り当てられた前記タイム・スロットに組み込まれ、その第１保護データとともに伝送されることを特徴とする、方法。
【手続補正書】
【提出日】平成23年4月12日(2011.4.12)
【手続補正１】
【補正対象書類名】特許請求の範囲
【補正対象項目名】全文
【補正方法】変更
【補正の内容】
【特許請求の範囲】
【請求項１】
マルチビュー・ビデオ符号化のための仮想参照デコーダ（hypothetical  reference  decoder）であって、HRD規則がMVCにおける各相互運用点について指定される、仮想参照デコーダ。
【請求項２】
マルチビュー・ビデオ符号化のための仮想参照デコーダであって、HRD規則が相互運用点の、あるセットについてのみ指定され、他のセットは指定されたセットから導出される、仮想参照デコーダ。
【請求項３】
マルチビュー・ビデオ符号化のための仮想参照デコーダであって、HRD規則が任意の数のビューをデコードすることの最悪の場合についてのみ指定される、仮想参照デコーダ。
【請求項４】
請求項２記載の仮想参照デコーダであって、HRD規則が単独ビューをデコードするためにのみ指定され、二つ以上のビューをデコードするためのHRD規則は前記単独ビューのものから導出される、仮想参照デコーダ。
【請求項５】
マルチビュー・ビデオ符号化のための仮想参照デコーダを生成するための規則を指定する方法であって、HRD規則はMVC中の各相互運用点について指定される、方法。
【請求項６】
マルチビュー・ビデオ符号化のための仮想参照デコーダを規定するHRD規則を記憶するコンピュータ可読媒体であって、そのような記憶されたHRD規則が、前記HRDについてのパラメータを記述するためにエンコーダによってアクセスされることができ、前記HRD規則はMVC中の各相互運用点について指定される、コンピュータ可読媒体。
【請求項７】
受け取られた情報を解釈するためのHRD規則を記憶するコンピュータ可読媒体であって、前記情報はマルチビュー・ビデオ符号化のための仮想参照デコーダのパラメータを記述するものであり、そのような記憶されたHRD規則は、エンコーダから受け取られるシンタックスを解釈するためにデコーダによってアクセスされることができ、前記HRD規則はMVC中の各相互運用点について指定される、コンピュータ可読媒体。
【請求項８】
マルチビュー・ビデオ符号化のための仮想参照デコーダを生成するための規則を指定する方法であって、HRD規則が単独ビューをデコードするためにのみ指定され、二つ以上のビューをデコードするためのHRD規則は前記単独ビューのものから導出される、方法。
【請求項９】
マルチビュー・ビデオ符号化のための仮想参照デコーダを生成するための規則を指定する方法であって、HRD規則が任意の数のビューをデコードすることの最悪の場合についてのみ指定される、方法。
【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
第１のセル内でダウンリンクをブロードキャストする方法であって、
各々がタイムスロットに割り当てられている通常のサブフレームとオプションのＭＢＳＦＮサブフレームとを含む第１の物理構造により搬送される第１の基準信号をブロードキャストするステップであって、１以上のタイムスロットはオプションで前記ダウンリンクの伝送方向での前記割り当てに使用されず、前記第１の物理構造は、所定のＯＦＤＭシンボルにより搬送されかつ前記サブフレーム内の所定のサブキャリアにより搬送される基準信号をさらに含む、ステップを含み、
隣接セル内の第２の基準信号を搬送するための第２の物理構造を示す情報をブロードキャストするステップをさらに含むことを特徴とする方法。
【請求項２】
前記第２の物理構造を示す前記情報は、ダウンリンク伝送方向のタイムスロットの割り当てに関連することを特徴とする請求項１に記載の方法。
【請求項３】
前記第２の物理構造を示す前記情報は、前記ＭＢＳＦＮサブフレームを搬送するタイムスロットの割り当てに関連することを特徴とする請求項１または２に記載の方法。
【請求項４】
前記第２の物理構造を示す前記情報は、移動端末による隣接セル測定の実行に使用されることを特徴とする請求項１に記載の方法。
【請求項５】
前記第２の物理構造の前記情報は、隣接セル測定に何れのサブフレームを使用するかを示す情報を含むことを特徴とする請求項２に記載の方法。
【請求項６】
前記第２の物理構造の前記情報は、隣接セル測定に各サブフレームの何れのシンボルを使用するかを示す情報を含むことを特徴とする請求項３に記載の方法。
【請求項７】
前記基準信号を搬送している前記シンボルは、サブキャリアの１以上の組および各サブフレーム内のシンボルのシーケンス内の所定の１以上の位置に割り当てられることを特徴とする請求項６に記載の方法。
【請求項８】
前記隣接セル測定に使用される前記サブフレームは、全ての隣接セルによりダウンリンク伝送に使用されるサブフレームであることを特徴とする請求項５に記載の方法。
【請求項９】
各サブフレーム内の基準信号を搬送するための全ての隣接セルにより使用されるシンボルのみが基準信号測定を目的として通知されることを特徴とする請求項６に記載の方法。
【請求項１０】
前記第２の物理構造は、サブフレーム分類により示されることを特徴とする請求項１に記載の方法。
【請求項１１】
前記第１および第２の基準信号は、それらがブロードキャストされるセルに特有であることを特徴とする請求項１に記載の方法。
【請求項１２】
各々がタイムスロットに割り当てられている通常のサブフレームとオプションのＭＢＳＦＮサブフレームとを含む第１の物理構造によって基準信号をブロードキャストするように構成された送受信機であって、１以上のタイムスロットはオプションでダウンリンクの伝送方向での前記割り当てに使用されず、前記第１の物理構造は、所定のＯＦＤＭシンボルにより搬送される基準信号をさらに含み、前記所定のＯＦＤＭシンボルは、前記通常のサブフレームと前記ＭＢＳＦＮサブフレームとで異なる、送受信機を含み、
前記送受信機は、隣接セル内の第２の基準信号を搬送するための第２の物理構造を示す情報をブロードキャストするようさらに構成されていることを特徴とする無線基地局。
【請求項１３】
前記第２の物理構造を示す前記情報をダウンリンク伝送方向のタイムスロットの割り当てに関連付けるよう制御するよう構成されたソフトウェアを有するコンピュータをさらに含むことを特徴とする請求項１２に記載の無線基地局。
【請求項１４】
前記第２の物理構造を示す前記情報を前記ＭＢＳＦＮサブフレームを搬送するタイムスロットの割り当てに関連付けるよう制御するよう構成されたソフトウェアを有するコンピュータをさらに含むことを特徴とする請求項１２に記載の無線基地局。
【請求項１５】
前記第２の物理構造上の情報を受信する外部ユニットに前記無線基地局を接続するのに適しておりコンピュータに接続されたインタフェースを含むことを特徴とする請求項１２に記載の無線基地局。
【請求項１６】
第１の物理構造を有する基準信号を送信している第１のセルにキャンプしている端末に適した方法であって、
前記第１のセルに隣接するセルの第２の基準信号を搬送する第２の物理構造のブロードキャスト表示を検出するステップ（９１）であって、前記表示はダウンリンク方向のサブフレームの割り当てに関連している、ステップと、
前記検出された表示に従ってダウンリンクのサブフレーム内の前記第２の基準信号を測定するステップ（９２）と、
を含むことを特徴とする方法。
【請求項１７】
前記検出された表示は、前記基準信号を搬送するＯＦＤＭシンボルにさらに関連しており、前記第２の基準信号の前記測定は、表示された前記ＯＦＤＭシンボルに対し実行されることを特徴とする請求項１６に記載の方法。
【請求項１８】
送受信機とコンピュータとを含み、
前記コンピュータはソフトウェアを有し前記送受信機を介して、
第１のセル内でブロードキャストされ、前記第１のセルに隣接するセルの基準信号を搬送するためのダウンリンク方向のサブフレームの割り当てに関連している表示を検出し、
前記検出された表示に従ってダウンリンクのサブフレーム内の第２の基準信号を測定する
よう動作可能であることを特徴とする移動端末。
【請求項１９】
前記検出された表示は、前記基準信号を搬送するＯＦＤＭシンボルにさらに関連しており、前記第２の基準信号の前記測定は、表示された前記ＯＦＤＭシンボルに対し実行されることを特徴とする請求項１８に記載の移動端末。
【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
鬱血性心不全、肝疾患、硬変、既に発症している腎疾患、容積喪失、または高齢で腎障害、慢性腎不全もしくは本態性高血圧を有する患者における疼痛および／または炎症を治療するための、４−（ニトロオキシ）−ブチル−（Ｓ）−２−（６−メトキシ−２−ナフチル）−プロパノエートを含む医薬組成物。
【請求項２】
前記の疼痛および／または炎症が、筋骨格障害の兆候または症状である、請求項１に記載の医薬組成物。
【請求項３】
前記の疼痛および／または炎症が、変形性関節症の兆候または症状である、請求項１に記載の医薬組成物。
【請求項４】
利尿薬と共に使用される、請求項１〜３のいずれか１項に記載の医薬組成物。
【請求項５】
前記の利尿薬がフロセミドおよびチアジドである、請求項４に記載の医薬組成物。
【手続補正書】
【提出日】平成23年4月12日(2011.4.12)
【手続補正１】
【補正対象書類名】特許請求の範囲
【補正対象項目名】全文
【補正方法】変更
【補正の内容】
【特許請求の範囲】
【請求項１】
骨治癒または骨成長に使用するための、フィブリン、トロンビンおよびストロンチウム含有化合物を含む組成物であって、該ストロンチウム含有化合物は、可溶性微粒子形態、顆粒状の形態または固体形態であり、そして該ストロンチウム含有化合物は、２．５ｍＭ〜２５ｍＭの濃度で該組成物中に存在する、組成物。
【請求項２】
ゲル、パテ、ペーストまたは液体形態である、請求項１に記載の組成物。
【請求項３】
可塑剤をさらに含む、請求項１または２に記載の組成物。  
【請求項４】
前記可塑剤がヨード含有化合物である、請求項３に記載の組成物。
【請求項５】
前記ヨード含有化合物が、ジアトリゾ酸、イオデコール、イオジキサノール、イオフラトール、イオグラミド、イオヘキソール、イオメプロール、イオパミドール、イオプロミド、イオトロール、イオベルソール、イオキサグル酸およびメトリザミドならびにそれらの混合物および多価アルコールからなる群から選択される、請求項４に記載の組成物。
【請求項６】
ゲル化相に先立って、またはその間に、液体、ペーストもしくはゲルとして、または予め形成されたゲル、ペーストもしくはパテとして組織欠損に送達され得る、請求項１、２、３、４または５に記載の組成物。
【請求項７】
フィブロネクチンなどの細胞外マトリックスタンパク質、細胞結合性タンパク質、血液凝固因子ＸＩＩＩなどの血漿由来タンパク質、プロテアーゼおよびプロテアーゼ阻害剤からなる群から選択される、１種以上の細胞外タンパク質を含む、請求項１、２、３、４または６に記載の組成物。
【請求項８】
治癒過程の間に、再吸収され、組織と置換される、請求項１、２、３、４、６または７に記載の組成物。
【請求項９】
凝固誘導剤、例えば、プロタミン、ヘビ毒、トランスグルタミナーゼ、ＦＸＩＩａ、または生理学的に許容されるアルカリバッファー系をさらに含む、請求項１、２、３、４、５、６、７または８に記載の組成物。
【請求項１０】
前記ストロンチウム含有化合物が、ストロンチウムをカルシウム含有化合物に加えて、カルシウムおよびストロンチウム含有塩を含む物質を製造するステップによって作製される、請求項１または２に記載の組成物。
【請求項１１】
前記カルシウム含有化合物が、リン酸カルシウムである、請求項１０に記載の組成物。
【請求項１２】
前記リン酸カルシウムが、リン酸三カルシウム、α−リン酸三カルシウム、β−リン酸三カルシウム、リン酸カルシウムの多形、ヒドロキシアパタイト、炭酸カルシウム、硫酸カルシウムおよびそれらの組み合わせからなる群から選択される、請求項１１に記載の組成物。
【請求項１３】
前記ストロンチウム含有またはカルシウム含有化合物が、１００ナノメートル〜５０ミリメートルの範囲の粒子寸法を有する、請求項１０に記載の組成物。
【請求項１４】
前記ストロンチウム含有またはカルシウム含有化合物が、０．５〜５ミリメートルの粒子寸法を有する、請求項１０に記載の組成物。
【請求項１５】
前記組成物中のカルシウム塩に対するストロンチウム塩のパーセンテージが、０．２５％〜１００％ストロンチウム含有塩の範囲である、請求項１０に記載の組成物。
【請求項１６】
前記ストロンチウム含有化合物が、ストロンチウムを生物活性ガラス中に加え、ストロンチウム含有生物活性ガラス物質を製造するステップによって作製される、請求項１または２に記載の組成物。
【請求項１７】
前記ストロンチウム含有化合物が、塩化ストロンチウム、ラネル酸ストロンチウム、酢酸ストロンチウム、グルタミン酸ストロンチウム、アスパラギン酸ストロンチウム、マロン酸ストロンチウム、マレイン酸ストロンチウム、アスコルビン酸ストロンチウム、トレオン酸ストロンチウム、乳酸ストロンチウム、リン酸ストロンチウム、ストロンチウムアパタイト、ピルビン酸ストロンチウム、α−ケトグルタル酸ストロンチウムおよびコハク酸ストロンチウムからなる群から選択される、請求項１、２、３、６、８、１０、または１６に記載の組成物。
【請求項１８】
カルシウム擬態薬、オステオカルシン、Ｌ−アルギニンなどのアミノ酸およびアルギノミメティクスおよびアルギニン類似体からなる群から選択されるストロンチウムコリガンドをさらに含む、請求項１、２、３、６、８、１０、１６または１７に記載の組成物。
【請求項１９】
前記可塑剤が、ポリエチレングリコール、多価アルコール、グリセロールまたは単糖、二糖、三糖、多糖からなる群から選択される糖およびそれらの組み合わせである、請求項３に記載の組成物。
【請求項２０】
骨形態形成タンパク質、副甲状腺ホルモン（ＰＴＨ）、カルシトニン、ビスホスホネート、上皮成長因子、インスリン様増殖因子およびＴＧＦ増殖因子からなる群から選択されるタンパク質をさらに含む、請求項１、２、３、４、５、６、９、１０、１１、１２、１４、１５、１６、１７、１８、または１９に記載の組成物。
【請求項２１】
組成物のゲル化が、種々の成分の混合時に起こる、請求項１に記載の組成物。
【請求項２２】
注射可能な組成物である、請求項１〜２１のいずれかに記載の組成物。
【請求項２３】
生存被験体において、罹患骨または、損傷を受けた骨または欠損した骨を治療するための組成物であって、請求項２２に記載の組成物を含む組成物を含み、該組成物が海綿骨中に注入により投与されることで特徴付けられる、組成物。
【請求項２４】
前記組成物が、ストロンチウムを含まない同様の組成物で観察されるものよりもより速い治癒の速度を生じる、請求項２３に記載の組成物。
【請求項２５】
欠損を有する骨を修復するための組成物であって、該欠損の修復をもたらすために有効な量の、請求項１から２２のいずれかに記載の組成物を含み、該組成物が、該欠損を埋めるために投与されることで特徴づけられ、ここで該骨またはその一部が機械的に固定される、組成物。
【請求項２６】
前記欠損が、骨折であり、該修復が、該骨折の骨治癒である、請求項２５に記載の組成物。
【請求項２７】
前記組成物が、該組成物の不在下で観察されるものよりもより速い治癒の速度を生じる、請求項２６に記載の組成物。
【請求項２８】
前記組成物が、ストロンチウムを含まない同様の組成物で観察されるものよりもより速い治癒の速度を生じる、請求項２６に記載の組成物。
【請求項２９】
前記骨が、大腿骨、脛骨、上腕骨および橈骨からなる群から選択される長骨である、請求項２４に記載の組成物。
【請求項３０】
骨欠損の部位で新規骨成長を促進するための組成物であって、請求項１から２２のいずれかに記載の組成物を含む組成物。
【請求項３１】
前記骨成長の速度が、ストロンチウムを含まない同様の組成物の存在下で見られる骨成長と比較して、該組成物中のストロンチウムの存在下でより速い、請求項３０に記載の組成物。
【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
タンパク質の誤った折畳みに関連する疾病の治療に使用するための薬理シャペロンであって、ここに治療が約４日〜約１０日間１日１回薬理シャペロン約７５〜３００ｍｇの日用量を経口投与し、続いて約３〜約８日おきに１回約７５〜２２５ｍｇの維持用量を経口投与することを含む、薬理シャペロン。
【請求項２】
投与される維持用量が約１５０ｍｇである、請求項１に記載の使用。
【請求項３】
維持用量が約２〜３日おきに１回投与され、薬理シャペロンが１−デオキシガラクトノジリマイシンまたはその薬理学的に許容される塩であって、疾病がファブリー病である、請求項１に記載の使用。
【請求項４】
疾病がファブリー病、ゴーシェ病、ポンペ病、パーキンソン病、およびアルツハイマ病からなる群から選択される、請求項１に記載の使用。
【請求項５】
薬理シャペロンが１−デオキシガラクトノジリマイシンであって、疾病がファブリー病である、請求項１に記載の使用。
【請求項６】
疾病がファブリー病であり、薬理シャペロンが１−デオキシガラクトノジリマイシンであって、維持用量が２〜３日おきに約１５０ｍｇである、請求項１に記載の使用。
【請求項７】
Ｃｅｒｅｚｙｍｅ（登録商標）、Ｆａｂｒａｚｙｍｅ（登録商標）、Ａｌｄｕｒａｚｙｍｅ（登録商標）、Ｍｙｏｚｙｍｅ（登録商標）、Ｒｅｐｌａｇａｌ（登録商標）およびＺａｖｅｓｃａ（登録商標）からなる群から選択される少なくとも１つの追加療法と組合せて薬理シャペロンを投与するステップをさらに含む、請求項１に記載の使用。
【請求項８】
薬理シャペロンがイソファゴミンであって、疾病がゴーシェ病である、請求項１に記載の使用。
【請求項９】
薬理シャペロンが１−デオキシノジリマイシンであって、疾病がポンペ病である、請求項１に記載の使用。
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
Ａ．５００〜３００，０００の数平均分子量および１分子あたり平均して少なくとも１個の加水分解性シリル基を有する有機炭化水素ポリマー１００重量部；ならびに
Ｂ．成分（Ａ）１００重量部あたり０．１〜１００重量部の、数平均分子量を５００〜５，０００の範囲に有し、ジまたはトリアルコキシ−シリル置換のポリブタジエン、ポリイソプレン、ポリイソブチレン、イソブチレンとイソプレンとのコポリマー、イソプレンとブタジエンとのコポリマー、イソプレンとスチレンとのコポリマー、ブタジエンとスチレンとのコポリマー、およびポリイソプレン、ポリブタジエン、イソプレンとスチレンとのコポリマー、ブタジエンとスチレンとのコポリマー、またはイソプレンとブタジエンとスチレンとのコポリマーを水素化して得られるポリオレフィンポリマーからなる群から選ばれるアルコキシ−シリル置換有機接着促進剤、ただし成分（Ｂ）は成分（Ａ）と異なる；
Ｃ．成分（Ａ）１００重量部あたり０．０１〜１０重量部の縮合硬化触媒；
Ｄ．成分（Ａ）１００重量部あたり０〜３００重量部の、非補強性充填剤および低補強性充填剤からなる群から選ばれる充填剤；
Ｅ．成分（Ａ）１００重量部あたり０〜１５０重量部の補強性充填剤；
Ｆ．成分（Ａ）１００重量部あたり０〜５重量部の水または水分含有成分
から本質的になる硬化性組成物。
【請求項２】
前記成分（Ａ）の数平均分子量が１０００〜５０，０００である請求項１に記載の硬化性組成物。
【請求項３】
前記成分（Ａ）が、ポリ−α−オレフィン、ポリイソブチレン、エチレン−プロピレンコポリマー、ポリブチレン、イソブチレンとイソプレンとのコポリマー、ポリクロロプレン、ポリイソプレン、イソプレンとブタジエンとのコポリマー、イソプレンとアクリロニトリルとのコポリマー、イソプレンとスチレンとのコポリマー、イソプレンとアルファ−メチルスチレンとのコポリマー、ポリブタジエン、ブタジエンとスチレンとのコポリマー、ブタジエンとアクリロニトリルとのコポリマー、ポリイソプレンをアクリロニトリルで水素化して得られるポリオレフィン、ポリイソプレンをスチレンで水素化して得られるポリオレフィン、ポリブタジエンをアクリロニトリルで水素化して得られるポリオレフィン、ポリブタジエンをスチレンで水素化して得られるポリオレフィン、イソプレンとアクリロニトリルとのコポリマー、およびブタジエンとアクリロニトリルとのコポリマーからなる群から選ばれる請求項１または２に記載の硬化性組成物。
【請求項４】
前記加水分解性シリル基が、
【化１】
2010525090.tif 000001
（式中、Ｒ1およびＲ2は各々独立して１〜２０個の炭素原子を有するアルキル基、６〜２０個の炭素原子を有するアリール基、７〜２０個のアラルキル基およびＲ’3ＳｉＯ−で表されるトリオルガノシロキシ基から選ばれ（式中、Ｒ’は１〜２０個の炭素原子を有する一価アルキル基である）；Ｘはヒドロキシル基または加水分解性基であり；ａは０〜３であり、ｂは０〜２であり、ｍは０〜１９であり、かつａ＋ｍｂは１より大きい）
で表される請求項１〜３のいずれか一項に記載の硬化性組成物。
【請求項５】
前記成分（Ｂ）がアルコキシシリル−置換ポリブタジエンである請求項１〜４のいずれか一項に記載の硬化性組成物。
【請求項６】
前記成分（Ｂ）が、前記成分（Ａ）１００重量部あたり１〜５０重量部で存在する、および／または前記成分（Ｃ）が、ジブチルスズジアセタート、ジブチルスズジアセチルアセトナートおよびジブチルスズジメトキシレートからなる群から選ばれる縮合硬化触媒０．１〜５重量部である請求項１〜５のいずれか一項に記載の硬化性組成物。
【請求項７】
前記成分（Ｃ）が、一般式Ｔｉ［ＯＲ5］4およびＺｒ［ＯＲ5］4を有するチタナートおよび／またはジルコネート系触媒（式中、Ｒ5は同じまたは異なり、１〜１０個の炭素原子を含む直鎖状または分岐状でもよい、一価の第一級、第二級または第三級脂肪族炭化水素基を表す）；キレート化されたチタナートおよび／またはジルコネートの群から選ばれる縮合硬化触媒０．１〜５重量部である請求項１〜６のいずれか一項に記載の硬化性組成物。
【請求項８】
前記成分（Ｄ）が、炭酸カルシウム、タルク、炭酸マグネシウム、ケイ藻土、酸化チタン、ベントナイト、有機ベントナイト、酸化第二鉄、酸化亜鉛、水素化ヒマシ油、アスベスト、ガラス繊維、フィラメント、およびガラスまたはプラスチック中空ミクロバルーンからなる充填剤群から選ばれる請求項１〜７のいずれか一項に記載の硬化性組成物。
【請求項９】
前記成分（Ｅ）が、ヒュームドシリカ、沈降シリカ、無水ケイ酸、含水ケイ酸、補強性級カーボンブラック、焼成粘土、クレー、および活性亜鉛華からなる群から選ばれる請求項１〜８のいずれか一項に記載の硬化性組成物。
【請求項１０】
熱可塑性成分をさらに含む、および／または２００重量部までの実質的に不曇性の可塑剤をさらに含む請求項１〜９のいずれか一項に記載の硬化性組成物。
【請求項１１】
前記成分Ａ単独または追加の熱可塑性添加剤と組み合わせた前記成分Ａを熱可塑性成分として用いることを特徴とする請求項１〜１０のいずれか一項に記載の組成物を含むホットメルト接着剤組成物。
【請求項１２】
断熱ガラスユニットの末端シールでの、または二次シーラントの使用の有無に関わらず断熱ガラスユニットのスペーサー／シールの組み合わせでの、一次、二次もしくは単一シーラントであって、請求項１〜１０のいずれか一項に記載の組成物を含む一次、二次もしくは単一シーラント。
【請求項１３】
第一液が成分Ａを含み、第二液が成分Ｃを含み、かつ他の成分および／または添加剤がいずれかの液または両方の液に存在する請求項１〜１０のいずれか一項に記載の二液型縮合硬化性組成物。
【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
ペルタトシドおよびグアイジャベリンを含むケルセチン関連フラボノール配糖体類を含む単離したグアバ抽出物。
【請求項２】
イソケルセチンをさらに含んでいる、請求項１に記載の単離したグアバ抽出物。
【請求項３】
セスキテルペン類およびタンニン類が実質的に除去されている、請求項１または２に記載の単離したグアバ抽出物。
【請求項４】
前記抽出物の全体重量の約５重量％未満がセスキテルペン類およびタンニン類である、請求項３に記載の単離したグアバ抽出物。
【請求項５】
前記抽出物の全体重量の約１重量％未満がセスキテルペン類およびタンニン類である、請求項４に記載の単離したグアバ抽出物。
【請求項６】
前記ケルセチン関連フラボノール配糖体類が、前記抽出物の全体重量の少なくとも３０重量％を構成する、請求項１に記載の単離したグアバ抽出物。
【請求項７】
ケルシチンヘキソース、メチルケルセチンヘキソース、イソケルシトリン、モリンペントース、またはケルシトリンペントースの少なくとも１つをさらに含む、請求項１または２に記載の単離したグアバ抽出物。
【請求項８】
セスキテルペン類およびタンニン類が実質的に除去されている、請求項７に記載の単離したグアバ抽出物。
【請求項９】
前記抽出物の全体重量の約５重量％未満がセスキテルペン類およびタンニン類である、請求項８に記載の単離したグアバ抽出物。
【請求項１０】
前記抽出物の全体重量の約１重量％未満がセスキテルペン類およびタンニン類である請求項９に記載の単離したグアバ抽出物。
【請求項１１】
前記ケルセチン関連フラボノール配糖体類が、前記抽出物の全体重量の少なくとも３０重量％を構成する、請求項７に記載の単離したグアバ抽出物。
【請求項１２】
ＤＰ−ＩＶ活性またはＤＰ−ＩＶ様活性を阻害することができる、請求項１または２に記載の単離したグアバ抽出物。
【請求項１３】
単離したグアバ抽出物であって、グアバの葉および／またはグアバの果実をアルコールおよび水により高温で抽出して結果として生じた抽出物を得る工程と、該結果として生じた抽出物を減圧に供して水性濃縮物を生成させる工程と、該濃縮物を遠心分離に供して固形分を分離する工程と、その清澄化した溶液をクロマトグラフィーカラムに供し、該カラムを水により、続いてアルコールにより溶出して溶出液を提供する工程と、該溶出液を減圧に供して第２の水性濃縮物を生成させる工程と、該第２の水性濃縮物をポリアミド樹脂に通して不純物を取り除き、次いでアルコールにより活性成分を脱着させる工程と、該活性成分を減圧下で濃縮して該単離した抽出物を得る工程とを含むプロセスから得られる、単離したグアバ抽出物。
【請求項１４】
ジペプチジルぺプチダーゼＩＶ（ＤＰ−ＩＶ）阻害剤であって、グアバの葉および／またはグアバの果実をアルコールおよび水により高温で抽出して結果として生じた抽出物を得る工程と、該結果として生じた抽出物を減圧に供して水性濃縮物を生成させる工程と、該濃縮物を遠心分離に供して固形分を分離する工程と、その清澄化した溶液をクロマトグラフィーカラムに供し、該カラムを水により、続いてアルコールにより溶出して溶出液を提供する工程と、該溶出液を減圧に供して第２の水性濃縮物を生成させる工程と、該第２の水性濃縮物をポリアミド樹脂に通して不純物を取り除き、次いでアルコールにより活性成分を脱着させる工程と、該活性成分を減圧下で濃縮して該ＤＰ−ＩＶ阻害剤を得る工程とを含むプロセスから得られる、ＤＰ−ＩＶ阻害剤。
【請求項１５】
ＤＰ−ＩＶ活性またはＤＰ−ＩＶ様活性を阻害することができる、請求項１４に記載のＤＰ−ＩＶ阻害剤。
【請求項１６】
グアバの葉および／またはグアバの果実のグアバ供給源をアルコールおよび水と高温で接触させて結果として生ずる抽出物を得る工程と、
該結果として生じた抽出物を減圧に供して水性濃縮物を生成させる工程と、
該水性濃縮物を遠心分離に供して固形分を分離して清澄化した溶液を生成させる工程と、
該清澄化した溶液をカラムクロマトグラフィーに供し、該カラムを水により、続いてアルコールにより溶出して溶出液を得る工程と、
該溶出液を減圧に供して第２の水性濃縮物を生成させる工程と、
該第２の水性濃縮物をポリアミド樹脂に通して不純物を取り除き、次いでアルコールにより活性成分を脱着させる工程と、
該活性成分を減圧下で濃縮して濃縮物を得る工程と、
を含む、ジペプチジルペプチダーゼＩＶ活性を阻害することができるグアバ抽出物を製造する方法。
【請求項１７】
前記グアバ供給源が、Ｐｓｉｄｉｕｍ ｃａｔｔｌｅｉａｎｕｍ、Ｐｓｉｄｉｕｍ ｃａｔｔｌｅｉａｎｕｍ ｓｓｐ． Ｌｕｃｉｄｕｍ、Ｐｓｉｄｉｕｍ ｇｕａｊａｖａ、Ｐｓｉｄｉｕｍ ｇｕｉｎｅｅｎｓｅ、Ｐｓｉｄｉｕｍ ｌｉｔｔｏｒａｌｅ、Ｐｓｉｄｉｕｍ ｍｏｌｌｅまたはＰｓｉｄｉｕｍ ｓｃｈｉｅｄｅａｎｕｍから選択される植物に由来するものである、請求項１６に記載の方法。
【請求項１８】
疎水性カラムが、架橋したポリスチレン／ジビニルベンゼンコポリマーから成る、請求項１７に記載の方法。
【請求項１９】
前記濃縮物を膜濾過によってさらに処理する、請求項１８に記載の方法。
【請求項２０】
グルコース代謝障害、真性糖尿病、肥満、アテローム性動脈硬化症である疾患または状態を治療する、ＬＤＬコレステロールを低下する、または女性の月経と関係する状態を軽減するための医薬組成物であって、請求項１−１３のいずれかに記載の組成物の治療有効量を含む医薬組成物。
【請求項２１】
前記組成物が、イソケルセチン、ケルシチンヘキソース、メチルケルセチンヘキソース、モリンペントース、またはケルシトリンペントースの１つまたは複数をさらに含む、請求項２０に記載の医薬組成物。
【請求項２２】
セスキテルペン類およびタンニン類を前記抽出物から実質的に除去する、請求項２０または２１に記載の医薬組成物。
【請求項２３】
前記抽出物の全体重量の約５重量％未満がセスキテルペン類およびタンニン類である、請求項２２に記載の医薬組成物。
【手続補正書】
【提出日】平成23年4月18日(2011.4.18)
【手続補正１】
【補正対象書類名】明細書
【補正対象項目名】００５１
【補正方法】変更
【補正の内容】
【００５１】
他の好ましい実施形態において、本発明は、Ｓｉに結合した残基または基ＬまたはＲ1の少なくとも２つが、芳香族残基または基である式Ｉの化合物に関する。
【手続補正２】
【補正対象書類名】特許請求の範囲
【補正対象項目名】請求項３
【補正方法】変更
【補正の内容】
【請求項３】
Ｓｉに結合している残基または基ＬまたはＲ1基の少なくとも２つが、芳香族残基または基である、請求項１または２に記載の化合物。
【手続補正３】
【補正対象書類名】特許請求の範囲
【補正対象項目名】請求項１１
【補正方法】変更
【補正の内容】
【請求項１１】
ＯＬＥＤにおける、好ましくは三重項エミッター用のマトリックス材料および／またはブロッカー材料としての、請求項１から４までのいずれか１項に記載の化合物の使用方法。
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
対象に共投与されるビタミンＤ3サプリメントおよびビタミンＤ2サプリメントを含む、前記対象の治療で使用するための薬剤であって、ビタミンＤ3サプリメントが２５−ヒドロキシビタミンＤ3であり、ビタミンＤ2サプリメントが２５−ヒドロキシビタミンＤ2である、薬剤。
【請求項２】
ビタミンＤ3サプリメントを含む、対象の治療で使用するための薬剤であって、ビタミンＤ3サプリメントがビタミンＤ2サプリメントとともに対象に共投与されるためのものであり、ビタミンＤ3サプリメントが２５−ヒドロキシビタミンＤ3であり、ビタミンＤ2サプリメントが２５−ヒドロキシビタミンＤ2であり、前記共投与は、前記２つのサプリメントが、それらの両方が重なり合った時間中にそれらのそれぞれの薬理学的効果を発揮することができる方式で投与されることを含み、したがって前記サプリメントの投与が（ａ）同時である、または治療過程中（ｂ）異なる時刻であるが一方のサプリメント（または少なくとも１種のその代謝産物）が血清中で検出できる間にもう一方のサプリメントが投与されることを含む、薬剤。
【請求項３】
ビタミンＤ2サプリメントを含む、対象の治療で使用するための薬剤であって、ビタミンＤ2サプリメントがビタミンＤ3サプリメントとともに対象に共投与されるためのものであり、ビタミンＤ3サプリメントが２５−ヒドロキシビタミンＤ3であり、ビタミンＤ2サプリメントが２５−ヒドロキシビタミンＤ2であり、前記共投与は、前記２つのサプリメントが、それらの両方が重なり合った時間中にそれらのそれぞれの薬理学的効果を発揮することができる方式で投与されることを含み、したがって前記サプリメントの投与が（ａ）同時である、または治療過程中（ｂ）異なる時刻であるが一方のサプリメント（または少なくとも１種のその代謝産物）が血清中で検出できる間にもう一方のサプリメントが投与されることを含む、薬剤。
【請求項４】
治療上有効な量のビタミンＤ3サプリメントを投与すること、およびビタミンＤ2サプリメントをビタミンＤの毒性を低減するのに有効な量で投与するものである、請求項１から３までのいずれか１項に記載の薬剤。
【請求項５】
ビタミンＤ3サプリメントのビタミンＤ2サプリメントに対する比率が、１００：１〜１：２０の範囲である、請求項１から４までのいずれか１項に記載の薬剤。
【請求項６】
ビタミンＤ3サプリメントのビタミンＤ2サプリメントに対する比率が、少なくとも１：１である、請求項５に記載の薬剤。
【請求項７】
投与が２５−ヒドロキシビタミンＤ3を２μｇ／ｋｇ／日を超える量である、請求項１から６までのいずれか１項に記載の薬剤。
【請求項８】
ビタミンＤ3サプリメントおよびビタミンＤ2サプリメントを互いに６時間以内に投与するものであり、前記投与は、（ｉ）最初にビタミンＤ3サプリメント投与し、次いでビタミンＤ2サプリメントを、ビタミンＤ3サプリメントまたはその代謝産物のどちらかが血清中で検出可能である時点に投与することを含んでもよく、または（ii）最初にビタミンＤ2サプリメント投与し、次いでビタミンＤ3サプリメントを、ビタミンＤ2サプリメントまたはその代謝産物のどちらかが血清中で検出可能である時点に投与することを含んでもよい、請求項１から７までのいずれか１項に記載の薬剤。
【請求項９】
（ａ）前記ビタミンＤサプリメントの投与が、ビタミンＤの不足および／または欠乏症と診断された患者に対するものである、および／または
（ｂ）前記ビタミンＤサプリメントの投与が、対象の血清中２５−ヒドロキシビタミンＤ濃度を少なくとも３０ｎｇ／ｍＬに上昇させ、および／または維持するのに十分な量で行われる、請求項１から８までのいずれか１項に記載の薬剤。
【請求項１０】
前記対象がヒトである、請求項１から９までのいずれか１項に記載の薬剤。
【請求項１１】
５０μｇを超える２５−ヒドロキシビタミンＤ3であるビタミンＤ3サプリメント、２５−ヒドロキシビタミンＤ2であるビタミンＤ2サプリメントおよび医薬として許容し得る賦形剤を含有する単位剤形を含む組成物。
【請求項１２】
ビタミンＤ2サプリメントが、ビタミンＤの毒性を低減するのに有効な量で存在する、請求項１１に記載の組成物。
【請求項１３】
ビタミンＤ3サプリメントのビタミンＤ2サプリメントに対する比率が、１００：１〜１：２０の範囲である、請求項１１または１２に記載の組成物。
【請求項１４】
ビタミンＤ3サプリメントのビタミンＤ2サプリメントに対する比率が、少なくとも１：１である、請求項１３に記載の組成物。
【請求項１５】
ビタミンＤ3サプリメントおよびビタミンＤ2サプリメントの少なくとも１種、ならびに対象に該サプリメントを共投与するための説明書を含むキットであって、ビタミンＤ3サプリメントが２５−ヒドロキシビタミンＤ3であり、ビタミンＤ2サプリメントが２５−ヒドロキシビタミンＤ2である、キット。
【請求項１６】
（ａ）ヒト対象に前記サプリメントを投与するための説明書をさらに含む、および／または
（ｂ）ビタミンＤの不足および／または欠乏と診断された患者に前記サプリメントを投与するための説明書をさらに含む、および／または
（ｃ）前記サプリメントの少なくとも１種が単位剤形である、請求項１４に記載のキット。
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
β2アゴニスト及びプロゲスチンを含み且つマクロライドを含まない産物であって、筋肉減少の治療又は予防において別々に、同時に、又は順次的に使用されるための、組合せ調製物としての、産物。
【請求項２】
プロゲスチンがメゲストロールである、請求項1に記載の産物。
【請求項３】
メゲストロールが酢酸塩である、請求項2に記載の産物。
【請求項４】
β2アゴニスト及び酢酸メドロキシプロゲステロンを含む産物であって、筋肉減少の治療又は予防において別々に、同時に、又は順次的に使用されるための、組合せ調製物としての、産物。
【請求項５】
β2アゴニストがフォルモテロールである、請求項1〜4のいずれかに記載の産物。
【請求項６】
筋肉減少が癌性悪液質に連関したものである、請求項1〜5のいずれかに記載の産物。
【請求項７】
筋肉減少がCOPD、ジストロフィー、CHF、AIDS、又は火傷に連関したものである、請求項1〜5のいずれかに記載の産物。
【請求項８】
経口投与のための、請求項1〜7のいずれかに記載の産物。
【請求項９】
副腎皮質ステロイドを付加的に含む、請求項1〜8のいずれかに記載の産物。
【請求項１０】
筋肉減少の治療又は予防に使用するための、β2アゴニストを含む医薬であって、当該処置の対象がプロゲスチンによる処置も受けるがマクロライドによる処置は受けない場合における、医薬。
【請求項１１】
筋肉減少の治療又は予防に使用するための、プロゲスチンを含む医薬であって、当該処置の対象がβ2アゴニストによる処置も受けるがマクロライドによる処置は受けない場合における、医薬。
【請求項１２】
プロゲスチンがメゲストロールである、請求項10又は11に記載の医薬。
【請求項１３】
メゲストロールが酢酸塩である、請求項12に記載の医薬。